(57)【要約】【課題】ワークの切削加工時に発生した切粉が機外へ飛散する事態を効果的に防止することができる工作機械用の切粉回収機構を提供する。【解決手段】工作機械の各レール２，２の上方には、切粉をベルトコンベア３上へ落とすための帯状のベースカバー４が傾斜状に設置されている。また、各ベースカバー４，４の一部の外端縁際には、長方形状の固定カバー５，５が設置されており、ワークテーブル１に対して下向きに傾斜した状態になっている。さらに、ワークテーブル１の支持台７の左右の鉛直面には、傾斜した回収板１１を有する移動カバー９，９が固着されており、それらの移動カバー９，９の外端縁が、固定カバー５，５に接触した状態になっている。【選択図】図１
2004255545.tif 000002
【特許請求の範囲】
【請求項１】
移動経路に沿って移動体が前後に移動する工作機械において、移動体上で切削されるワークの切粉を移動体の下方で回収するための切粉回収機構であって、
前記移動体に対して下向きに傾斜するように前記移動経路上に設けられた固定カバーと、
前記移動体の移動軸方向の少なくとも一方に対して傾斜した面を有し、かつ、外端縁が前記固定カバーに接触するように移動体の側面に取り付けられた移動カバーとを有していることを特徴とする工作機械の切粉回収機構。
【請求項２】
移動カバーが、外端縁に沿ってワイパーを設けたものであることを特徴とする請求項１に記載の工作機械の切粉回収機構。
【請求項３】
移動カバーが、前後を下向きに傾斜させたへの字状になっていることを特徴とする請求項１、または請求項２に記載の工作機械の切粉回収機構。
【発明の詳細な説明】
【０００１】
【発明の属する技術分野】
本発明は、工作機械の移動体（ワークテーブル等）の周囲に付設される切粉の回収機構に関するものである。
【０００２】
【従来の技術】
工作機械の一種として、ワークを固定するためのワークテーブル等の移動体が所定の送り軸に沿って移動可能になっており、任意の位置においてワークに切削加工を施すことができるものが知られている。かかる工作機械の中には、ワークテーブル上に設置されたワークに切削加工を施す際に切粉がワークテーブル上に堆積して機外に飛散する事態を防止するために、ワークテーブルの周囲をカバーで覆ったものもある（たとえば、特許文献１参照）。
【０００３】
また、ワークテーブルの下側にベルトコンベアを設置するとともに、ワークテーブルを載置するレール上に固定カバーを傾斜状に設置し、ワークの切削加工時に発生した切粉を固定カバーによってベルトコンベア上に落下させて、ベルトコンベアによって機外へ搬送するようにした工作機械も知られている。図３は、そのような工作機械の一部を示したものであり、工作機械の各レール５２，５２の上方には、固定カバー５４，５４が傾斜状に設置されているとともに、ワークテーブル５１の移動方向に対して垂直な平板状のワイパー５３，５３が、各固定カバー５４，５４の基端に固着されている。そして、ワークの切削加工時に飛散した切粉を、各固定カバー５４，５４によって下方に落下させるとともに、ワークテーブル５１の端縁（各レール５２，５２の上方に載置された部分）に堆積した切粉を、ワークテーブル５１の移動に伴ってベルトコンベア５５上に落下させるようになっている。
【０００４】
【特許文献１】
実開平６−８５７４８号公報
【０００５】
【発明が解決しようとする課題】
しかしながら、ワークテーブルの周囲をカバーで覆った工作機械は、工具を種々の方向からワークにアプローチさせることが困難である。また、固定カバー５４，５４によってベルトコンベア５５上に切粉を落下させる工作機械においては、切粉をワイパー５３，５３によってベルトコンベア５５上に落下させる際に、固定カバー５４，５４とワークテーブル５１の端縁との隙間に切粉が堆積し、ワークテーブル５１の移動の際に、堆積した切粉が機外に飛散してしまう事態が起こり得る。
【０００６】
本発明の目的は、上記従来の工作機械が有する問題点を解消し、ワークの切削加工時に発生した切粉が機外へ飛散する事態を効果的に防止することができる工作機械用の切粉回収機構を提供することにある。
【０００７】
【課題を解決するための手段】
かかる本発明の構成のうち、請求項１に記載された発明の構成は、移動経路に沿って移動体が前後に移動する工作機械において、移動体上で切削されるワークの切粉を移動体の下方で回収するための切粉回収機構であって、前記移動体に対して下向きに傾斜するように前記移動経路上に設けられた固定カバーと、前記移動体の移動軸方向の少なくとも一方に対して傾斜した面を有しており、外端縁が前記固定カバーに接触するように移動体の側面に取り付けられた移動カバーとを有していることにある。
【０００８】
請求項２に記載された発明の構成は、請求項１に記載された発明において、移動カバーが、外端縁に沿ってワイパーを設けたものであることにある。
【０００９】
請求項３に記載された発明の構成は、請求項１、または請求項２に記載された発明において、移動カバーが、前後を下向きに傾斜させたへの字状になっていることにある。
【００１０】
【発明の実施の形態】
以下、本発明に係る工作機械の切粉回収機構の一実施形態について、図面に基づいて詳細に説明する。
【００１１】
図１は、工作機械の一部を示したものであり、工作機械には、ベルトコンベア３、ベースカバー４，４、固定カバー５，５、移動カバー９，９等からなる切粉回収機構２１が付設されている。
【００１２】
工作機械は、一対のレール（移動経路）２，２が平行に配置されており、ワークを支持するためのワークテーブル（移動体）１が、レール２，２に沿って、Ｚ方向に移動可能になっている。さらに、レール２，２同士の隙間には、ワークテーブル１上でワークが切削加工された場合に発生する切粉を機外へ搬送するためのベルトコンベア３が設置されており、ベルトがＺ方向に移動するようになっている。
【００１３】
また、各レール２，２の上方には、切粉をベルトコンベア３上へ落とすための帯状のベースカバー４，４が設置されている。各ベースカバー４，４は、上面が外側から中側にかけて下向きに傾斜しており、外端縁が上方に折り返されている。
【００１４】
さらに、各ベースカバー４，４の一部（ワークテーブル１の移動範囲）の外端縁際には、長方形状の固定カバー５，５が設置されており、各ベースカバー４，４の外側に突出した状態になっている。各固定カバー５，５は、内側の端縁が下方に折り返されており、外側の端縁が上方に折り返されている。そして、内側の折返し部分を、各ベースカバー４，４の外端縁に当着させることによって、各ベースカバー４，４に固着されている。そして、各固定カバー５，５の上面が、それぞれ、各ベースカバー４，４と略同一の角度で傾斜した状態になっている。また、各固定カバー５，５の長手方向と垂直な端縁の内の片方には、それぞれ、遮蔽板６，６が立設されており、各ベースカバー４，４の傾斜面と直交した状態になっている。
【００１５】
一方、ワークテーブル１は、略直方体状の支持台７の上に、ワーク固定板８が設置されている。そして、支持台７の左右の鉛直面に、それぞれ、移動カバー９，９が固着されている。
【００１６】
図２は、左側の移動カバー９を示したものである（なお、右側の移動カバー９は、左側の移動カバー９と対称な形状を有している）。各移動カバー９，９は、ワークテーブル１の支持台７の左右の側面の長さ（前後方向の長さ）と略同一の長さを有しており、扁平な設置板１０の外側に、略三角形状の回収板１１が突設されている。回収板１１は、中心部分が最も外側に突出しており、左右端縁に近づくにしたがって、次第に幅狭になっている。そして、左右の両端際の部分は、一定幅の帯状になっている。また、中心線（図２（ａ）におけるＡ−Ａ線）の左右が、それぞれ、下方へに折り曲げられており、傾斜面を形成している。さらに、外側の端縁に沿って、合成樹脂によって形成された帯状のワイパー１２が設置されている。かかる移動カバー９，９は、設置板１０の外面をワークテーブル１の支持台７の左右の鉛直面に螺着させることによって、ワークテーブル１の支持台７に取り付けられている。そして、各回収板１１，１１の中心線が、左右の各固定カバー５，５の下端縁より上方に位置し、各回収板１１，１１の外端縁に設けられたワイパー１２，１２が、左右の各固定カバー５，５の傾斜面と接触した状態になっている。加えて、回収板１１の左右両端の部分（一定幅の部分）においては、各ワイパー１２，１２が、各固定カバー５，５の内側の折返し部と接触した状態になっている。
【００１７】
工作機械においては、ワークテーブル１が、各レール２，２に沿ってＺ軸方向に移動し、任意の位置で、ワーク固定板８上に設置されたワークを切削加工することができるようになっている（なお、ワークテーブル１は、左右の下側に設置されたガイド部材１３，１３の傾斜面をベースカバー４，４に当接させた状態で、各レール２，２に沿って移動するようになっている）。そして、ワークの切削加工時においては、発生した切粉は、各固定カバー５，５上に落下し、ベースカバー４，４上に導かれた後に、ベルトコンベア３上に落下し、工作機械の機外に搬送される。また、固定カバー５，５上に落下した切粉は、ワークテーブル１の方へも導かれるが、移動カバー９，９の傾斜した回収板１１，１１により、ワークテーブル１の前後まで導かれて、ベルトコンベア３上に落下する。
【００１８】
工作機械の切粉回収機構２１は、上記の如く、ワークテーブル１に近づくにしたがって下方に傾斜するようにレール２，２上に設けられた固定カバー５，５と、ワークテーブル１の移動軸方向に対して傾斜した面を有し、かつ、外端縁が固定カバー５，５に接触するようにワークテーブル１の側面に取り付けられた移動カバー９，９とを有している。したがって、固定カバー５，５から落下してくる切粉がワークテーブル１上に導かれることがないので、ワークテーブル１上への切粉の堆積を防止することができ、切粉が工作機械の機外に飛散する事態を防止することができる。
【００１９】
また、切粉回収機構２１は、移動カバー９，９が、外端縁に沿ってワイパー１２を設けたものであるため、切粉が固定カバー５，５と移動カバー９，９との間からワークテーブル１上に堆積する事態を防止することができる。
【００２０】
さらに、切粉回収機構２１は、移動カバー９，９が、前後を下向きに傾斜させたへの字状になっているため、固定カバー５，５から落下してくる切粉をスムーズにワークテーブル１の前後に導くことができるので、切粉がワークテーブル１上に堆積する事態を非常に効果的に防止することができる。
【００２１】
なお、本発明の切粉回収機構の構成は、上記した各実施例の態様に何ら限定されるものではなく、固定カバー、移動カバー、移動体、レール等の形状・構造等の構成を、本発明の趣旨を逸脱しない範囲で、必要に応じて適宜変更できる。
【００２２】
たとえば、工作機械は、ワークテーブル等の移動体の真下にコンベアがダイレクトに設置されたものに限定されず、移動体の真下に収納ボックスが設置されており、切粉を一旦収納ボックスに収納した後にコンベアで機外へ搬送するもの等に変更することも可能である。また、移動カバーに設けるワイパーは、合成樹脂製のものに限定されず、弾性を有する薄い金属板等に変更することも可能である。さらに、移動カバーは、移動体の前後に切粉を落下させるものに限定されず、移動体の前方あるいは後方のいずれかに切粉を落下させるもの等に変更することも可能である。
【００２３】
【発明の効果】
請求項１に記載された切粉回収機構は、移動体に対して下向きに傾斜するように移動経路上に設けられた固定カバーと、移動体の移動軸方向の少なくとも一方に対して傾斜した面を有し、かつ、外端縁が固定カバーに接触するように移動体の側面に取り付けられた移動カバーとを有しているため、固定カバーから落下してくる切粉が移動体上に導かれることがないので、移動体上への切粉の堆積を防止することができ、切粉が工作機械の機外に飛散する事態を防止することができる。
【００２４】
請求項２に記載された切粉回収機構は、移動カバーが、外端縁に沿ってワイパーを設けたものであるため、切粉が固定カバーと移動カバーとの間から移動体上に堆積する事態を防止することができる。
【００２５】
請求項３に記載された切粉回収機構は、移動カバーが、前後を下向きに傾斜させたへの字状になっているため、固定カバーから落下してくる切粉をスムーズに移動体の前後に導くことができるので、切粉が移動体上に堆積する事態を非常に効果的に防止することができる。
【図面の簡単な説明】
【図１】切粉回収機構を示す斜視図である。
【図２】移動カバーを示す斜視図である（ａは平面図であり、ｂは正面図である）。
【図３】従来の工作機械の一部を示す斜視図である。
【符号の説明】
１・・ワークテーブル、２・・レール、５・・固定カバー、９・・移動カバー、１１・・回収板、１２・・ワイパー、２１・・切粉回収機構。
【図１】
2004255545.tif 000003
【図２】
2004255545.tif 000004
【図３】
2004255545.tif 000005